(57)【特許請求の範囲】
【請求項１】
親桁間に架設される子桁と、その子桁上に固定されるセパレータとの組が複数あり、それぞれの組は、その子桁上に布設されるケーブル本数に応じて、当該子桁の断面の大きさと、そのセパレータの高さ方向の幅寸法が異なるように形成され、かつそれぞれのセパレータの端部には、当該セパレータ同士を当接させた際に、それぞれの高さが同一となるように接続孔が穿設され、その接続孔に接続された連結板を介して、当該セパレータ同士を連結させてなるケーブルラックのセパレータ連結構造。
【請求項２】
前記セパレータは長尺状からなり、長手方向に伸びる折曲部を有することを特徴とする請求項１記載のケーブルラックのセパレータ連結構造。
【発明の詳細な説明】
【０００１】
【発明の属する技術分野】
本発明は、動力配線、情報配線のケーブル等の配管、配線材を布設するケーブルラックにおいて、そのケーブルラックの子桁上で複数のケーブルを仕切るセパレータを備えたケーブルラックのセパレータ連結構造に関するものである。
【０００２】
【従来の技術】
従来から、ビル、工場等において動力配線、情報配線のケーブル等の配管、配線材を布設する場合、ケーブルラックを使用して行う方法が一般的である。このケーブルラックとして、図３に示す如く、動力配線及び情報配線のケーブルを１つのケーブルラックのみを用いて布設可能な、ケーブルラック１の一対の親桁２，２間にその下端が支持されるよう掛け渡された子桁３上に長手方向にわたってセパレータＡを複数設けてその布設スペースを仕切るものが提案されている。
【０００３】
このもののケーブルラックのセパレータＡは、所定長さを有し、ケーブルラック１上に布設される複数のケーブルをそのケーブルラック１の子桁３上で仕切る長尺状の仕切片Ｂと、同仕切片Ｂの一縁を折曲させ形成された取着片Ｃとを有しており、このセパレータＡは、図４（ｂ）に示すように、上記子桁３に固定具６として皿ねじを用いて金具本体Ｄを固定させて、図４（ａ）に示すように、その子桁３及び金具本体Ｄ間に該取着片Ｃが狭持され取り付けられるようになっている。また、このセパレータＡ，Ａ同士の連結は、具体的には、図５（ａ）に示すようにその折曲片を折り曲げて相互に連結する連結板Ｆ１、図５（ｂ）に示すようにその連結孔にねじ等の固定具を挿通して相互に連結する連結板Ｆ２を、セパレータＡ，Ａ端部の接続孔Ｈ，Ｈを介して連結されている。
【０００４】
なお、上記金具本体Ｄは、鋼板材料を折曲させてその周囲に補強リブをもって形成され、その補強リブの段差部分が図４（ａ）に示すように取着片４２を狭持する押さえ部Ｅとなっており、中央には、上記皿ねじのねじ頭を収容するよう凹所を有する固定孔が設けられている。この金具本体Ｄは、図４（ｂ）に示すように、子桁３の溝部３１内方に挿入される、上記皿ねじに螺合させる固定片Ｇとともに溝縁部を狭持するようにして子桁３に固定される。
【０００５】
上記構成により、ケーブルラック１上にて親桁２，２間に掛け渡された子桁３上にて、その長手方向に沿った所望位置にセパレータＡを取り付けて連結させ、動力配線及び情報配線のケーブルを分離離隔させ、１つのケーブルラックのみを用いて布設することができる。
【０００６】
【発明が解決しようとする課題】
しかしながら、上記従来の技術においては、図６に示すように、サイズの異なるケーブルラック１，１において、上記連結板Ｆ１の折曲片あるいは連結板Ｆ２ねじを挿通する、セパレータＡの端部に設けられている接続孔Ｈが、それぞれのセパレータＡ、Ａの上端から所定寸法位置に穿設されて構成されている（図７参照）。そのため、サイズの異なるケーブルラック１，１の親桁２，２同士を連結させて設置し、ケーブルを分離離隔させようとしたときに、上記連結板を用いてセパレータＡ、Ａを連結させることができない。したがって、ケーブルを布設する際にセパレータに力が加わったときに、子桁３に沿ってセパレータＡが滑って金具本体Ｄから離脱し易いという問題があった。
【０００７】
本発明は、上記事由に鑑みてなしたもので、その目的とするところは、サイズの異なるケーブルラック同士のセパレータを連結可能として強固に子桁に取付することのできるケーブルラックのセパレータ連結構造を提供することにある。
【０００８】
【課題を解決するための手段】
上記目的を達成するために、本発明のケーブルラックのセパレータ連結構造にあっては、ケーブルラック上に布設される複数のケーブルを、ケーブルラックの一対の親桁間にその下端が支持された子桁上で、一縁を折曲させ形成された取着片を有して長手方向にわたって仕切る長尺状の仕切片を備えたセパレータを、連結板を介して該子桁にねじ等の固定具にて固定させてその端部同士を連結させるケーブルラックのセパレータ連結構造において、前記セパレータの前記連結板を接続する接続孔を、そのセパレータの仕切片の幅寸法とは無関係に前記子桁の下端から一定距離に穿設させたことを特徴としている。
【０００９】
これにより、異なる幅寸法の仕切片を有するセパレータが、その幅寸法とは無関係に子桁の下端から一定距離に端部に穿設された接続孔を介して同一の連結板にて連結できる。
【００１０】
そして、前記仕切片を、少なくとも前記接続孔をはさんで前記取着片から遠い側の他縁に長手方向に伸びる補強用の折曲部を連設させることが好ましい。この場合、長手方向に伸びる折曲部にて補強された仕切片がその端部に穿設された接続孔を介して連結板にて連結される。
【００１１】
【発明の実施の形態】
図１、２は、本発明の請求項１、２に対応する一実施の形態を示し、図１は、本発明の一実施の形態の、ケーブルラックのセパレータ連結構造の概略を示し、（ａ）は概略構成の正面断面図、（ｂ）はセパレータの側面図である。図２は、同ケーブルラックのセパレータ連結構造の説明用の斜視図である。
【００１２】
この実施の形態のケーブルラックのセパレータ連結構造は、ケーブルラック１上に布設される複数のケーブルを、ケーブルラック１の一対の親桁２，２間にその下端が支持された子桁３上で、一縁を折曲させ形成された取着片４２を有して長手方向にわたって仕切る長尺状の仕切片４１を備えたセパレータ４を、連結板７を介して該子桁３にねじ等の固定具６にて固定させてその端部同士を連結させるケーブルラックのセパレータ連結構造において、前記セパレータ４の前記連結板７を接続する接続孔４３を、そのセパレータ４の仕切片４１の幅寸法とは無関係に前記子桁３の下端から一定距離に穿設させてなる。
【００１３】
このケーブルラック１は、従来の技術の項にて説明した図３に示すものと同一のもので、一定断面形状のアルミニウム材料等の押出成形体や鋼板を折曲させて形成された親桁２，２と、この親桁２，２相互間にその下端が支持された状態で架設された複数の子桁３と、その子桁３上の中間位置に配設されるセパレータ４と、このセパレータ４を子桁３に固定する固定金具５とを備えている。そして、このセパレータ４が固定金具５を介して固定具６となる皿子ねじにて子桁３上に固定され、またその相互に連結する連結板７にて連結されて、全体が梯子状に形成されている。この子桁３は、従来の技術の項にて説明した図５（ｂ）に示す如く、溝部３１を有するよう、所定長さの鋼板材料を断面略Ｃ字状に折曲させ中空状に形成されている。そして、上記親桁２，２下部を折曲させた支持片にて両端が支持されて所定間隔に配設されている。
【００１４】
このケーブルラック１は、布設される複数のケーブルの本数によって、上記親桁２，２の高さ及び、子桁３の断面の大きさを変えて形成される。すなわち、ケーブル本数の多いときには、そのケーブル全てが親桁２を乗り越えることの無いよう高く形成し、また、重量の重いケーブルをそれ自体が変形することの無いように子桁３の略Ｃ字状断面の大きさを大きくして形成している。
【００１５】
セパレータ４は、長尺状の鋼板材料にて、仕切片４１と、同仕切片４１の一縁を断面視略Ｌ字状に折曲させ形成された取着片４２とを有して形成されている。このセパレータ４は、ケーブル本数の多いときに使用されるものにおいては、そのケーブル全てが親桁２を乗り越えることの無いよう高く形成されたケーブルラック１におい動力配線、情報配線のケーブル相互が、その仕切片４１を乗り越えないよう上記親桁２と略同一高さ寸法に形成され、且つ、上記接続孔４３を仕切片４１の略中間位置に穿設している。また、ケーブル本数の少ないときに使用されるものにおいては、上記のものの高さより低い高さの親桁２に合わせて仕切片４１の高さを低くして形成されて、接続孔４３が穿設されている。すなわち、このケーブル本数の少ないときに使用されるセパレータ４の接続孔４３は、図１（ａ）に示すように仕切片４１の上部となって、セパレータの仕切片の幅寸法とは無関係に前記子桁３の下端から一定距離に穿設される。
【００１６】
この仕切片４１は、上記接続孔４３をはさんで仕切片４１の上部及び下部及び取着片４２の略中間位置を折曲させて、長手方向に伸びる凸部４１ａ，４１ａ、４２ａが突出形成されており、全体がこの凸部４１ａ、４２ａにて補強されることとなって外力にて変形しにくいものとなっている。なお、取着片４２の凸部４２ａは、その高さ寸法を仕切片４１の凸部４１ａより低くしてある。したがって、金具本体５１にて、その凸部４２ａをばね性をもたせて変位させ、且つ、食い込むように変形させて金具本体５１と子桁３との間にその取着片４２を狭持することとなり固定具６としてねじを使用したときに緩むこと無くより強固に狭持される。なお、凸部４１ａは、上記による他、少なくとも前記接続孔４３をはさんで取着片４２から遠い側のみであっても良く、また、Ｌ字状に折曲させても良い。
【００１７】
固定金具５は、後述する固定具６にて上記子桁３に固定されてその子桁３との間に前記取着片４２を狭持させる金具本体５１と、子桁３の溝部３１内方に挿入されてこの金具本体５１を上記固定具６に螺合させる、図４（ｂ）に示す固定片Ｇと同一の固定片５２とを備えている。
【００１８】
金具本体５１は、鋼板材料を折曲させてその周囲に補強リブをもって略四角状に形成されている。この金具本体５１の中心には、固定具６を挿通させるその皿ねじのねじ頭を収容するよう凹所を有する固定孔が設けられている。したがって、金具本体５１を固定具６を用いて上記子桁３に固定させたときにそのねじ頭が突出せず、ケーブルラック１上に布設されるケーブルの外皮を傷つけることが無い。この金具本体５１は、その補強リブの段差部分を設けて図４（ａ）に示すように取着片４２を狭持する押さえ部としてある。
【００１９】
固定片５２は、従来の技術の項にて説明した図４（ｂ）に示すものと同一のもので、鋼板材料を折曲させてその周囲に補強リブをもって略四角状に形成されている。この固定片５２は、その中央位置に、同図に示すように固定具６を螺合させて上記金具本体５１とともに、取着片４２と子桁３の溝部３１の縁部とを狭持する。
【００２０】
連結板７は、この場合、図５（ａ）に示す連結板Ｆ１と同様のもので、四角状の鋼板の内側にその一部を切り欠いた後切り起こして折曲片７１，７１を設けて形成されている。この連結板７は、折曲片７１，７１を上記接続孔４３、４３に挿通させた後、仕切片４１を抱き込むように折り曲げて図１（ａ）に示すように、セパレータ４，４相互を連結させる。
【００２１】
上記の構成のケーブルラックのセパレータ連結構造においては、金具本体５１に固定具６を挿通させて固定片５２へ螺合させ、締め付けてセパレータ４を取り付けた状態で、金具本体５１が、上記の段差部分を長手方向に伸びる取着片４２に位置決めされて子桁３との間に該取着片４２を狭持させる。そして、セパレータ４，４を連結するときには、セパレータ４，４の端面同士を当接させて、連結板７の折曲片７１，７１をセパレータ４，４の端部に設けられている、接続孔４３、４３に挿通させ折り曲げて接続させる。すなわち、図２に示すように、異なる幅寸法の仕切片４１を有するセパレータ４，４同士を連結するときにおいても、その幅寸法とは無関係に子桁３の下端から一定距離に端部に穿設された接続孔４３，４３を介して図１（ａ）に示すように同一の連結板７を用いて連結されるのである。このとき、例えば隣り合う子桁３，３の一方に偏った位置にて連結するときにおいても、長手方向に伸びる折曲部となる凸部４１ａにて補強された仕切片４１がその端部に穿設された接続孔４３を介して連結板７にてより確実に連結させることが可能となる。
【００２２】
したがって、以上説明したケーブルラックのセパレータ連結構造によると、異なる幅寸法の仕切片４１を有するセパレータ４が、その幅寸法とは無関係に子桁の下端から一定距離に端部に穿設された接続孔４３を介して同一の連結板７にて連結できるので、サイズの異なるケーブルラック１，１同士のセパレータ４，４が連結可能となり、以て、セパレータ４を強固に子桁３に取付することができる。また、長手方向に伸びる折曲部となる凸部４１ａにて補強された仕切片４１がその端部に穿設された接続孔４３を介して連結板７にて連結されるので、より確実に連結させることができる。
【００２３】
なお、本発明は、上記にて示されたもの以外に、例えば、図５（ｂ）に示すように、連結板をその連結孔にねじ等の固定具を挿通して相互に連結するものとした構成等、各種実施形態のものを含むことは言うまでもない。
【００２４】
【発明の効果】
本発明は、上述の実施態様の如く実施されて、請求項１記載のケーブルラックのセパレータ連結構造にあっては、それぞれのセパレータの端部に、セパレータ同士を当接させた際に、それぞれの高さが同一となるように接続孔が穿設され、その接続孔に接続された連結板を介して当該セパレータ同士を連結しているので、サイズの異なるケーブルラック同士のセパレータが連結可能となり、以て、セパレータを強固に子桁３に取付することができる。
【００２５】
また、請求項２記載のケーブルラックのセパレータ連結構造にあっては、長手方向に伸びる折曲部を有するので、より確実に連結させることができる。
【図面の簡単な説明】
【図１】本発明の一実施の形態の、ケーブルラックのセパレータ連結構造の概略を示し、（ａ）は概略構成の正面断面図、（ｂ）はセパレータの側面図である。
【図２】同ケーブルラックのセパレータ連結構造の説明用の斜視図である。
【図３】ケーブルラックのセパレータ取付構造を示す概略構成図である。
【図４】ケーブルラックのセパレータ取付構造を示し、（ａ）は側面図、（ｂ）は正面断面図である。
【図５】本発明の従来例であるケーブルラックのセパレータ連結構造を示す説明図である。
【図６】同ケーブルラックのセパレータ連結構造を示す説明図である。
【図７】同ケーブルラックのセパレータ連結構造の細部を示す説明図である。
【符号の説明】
１    ケーブルラック
２    親桁
３    子桁
４    セパレータ
４１  仕切片
４２  取着片
４３  接続孔
５１  金具本体
６    固定具
７    連結板
【図１】
0003557971.tif 000002
【図２】
0003557971.tif 000003
【図３】
0003557971.tif 000004
【図４】
0003557971.tif 000005
【図５】
0003557971.tif 000006
【図６】
0003557971.tif 000007
【図７】
0003557971.tif 000008